(57)【要約】ラックシステムの垂直および水平に延在する棒部材１０〜１２が、Ｕ字形棒材２０で形成され、しかも、自立する棚支柱１１が２つのＵ字形棒材２０で形成された箱形横断面を有する。同じ標準形材が、異なる棚構成部材を形成するために使用される。
2004522535.tif 000002
【特許請求の範囲】
【請求項１】
垂直および／または水平に延在する棒部材（１０〜１２）と、該棒部材の間に取付け可能な、物品を受ける部材（１６〜１９）とを有するラックシステムにおいて、
棒部材（１１）の少なくとも１つが、２つのＵ字形棒材（２０）で形成されているラックシステム。
【請求項２】
前記Ｕ字形棒材（２０）の各々が、ラックの壁側縦材（１０）として形成されている請求項１に記載されたラックシステム。
【請求項３】
２つのＵ字形棒材（２０）が箱形横断面を形成するように結合されている請求項１または請求項２に記載されたラックシステム。
【請求項４】
前記Ｕ字形棒材（２０）が、少なくとも１つのねじによって結合され、該ねじがＵ字形棒材（２０）を貫通し、かつ箱形横断面内部に配置されたスペーサ（２２）に貫通せしめられている請求項３に記載されたラックシステム。
【請求項５】
前記スペーサが、端部フランジ（２３）を有するスリーブ（２２）として形成されている請求項４に記載されたラックシステム。
【請求項６】
前記２つのＵ字形棒材（２０）が相互結合されてＩ形材を成している請求項１または請求項２に記載されたラックシステム。
【請求項７】
前記Ｕ字形棒材（２０）を別のラック部材に結合するためのガセット板状結合部材（４０〜９０）を有する請求項１から請求項６までのいずれか１項に記載されたラックシステム。
【請求項８】
結合部材（４０〜７０，９０）が、Ｕ字形棒材（２０）の穴（１５）に嵌め込むためのフック（４１〜７１，９１）を一方の縁部に有する請求項７に記載されたラックシステム。
【請求項９】
前記Ｕ字形棒材（２０）が金属製である請求項１から請求項８までのいずれか１項に記載されたラックシステム。
【請求項１０】
前記Ｕ字形棒材（２０）の横断面が、中央ウエブ（２５）の幅に対する脚部（２４）の高さの比０．５〜１を有する請求項１から請求項９までのいずれか１項に記載されたラックシステム。
【請求項１１】
前記脚部（２４）の高さが２０〜３０ｍｍであり、前記中央ウエブ（２５）の幅が２０〜４０ｍｍである請求項１から請求項１０までのいずれか１項に記載されたラックシステム。
【発明の詳細な説明】
【背景技術】
【０００１】
ラックシステム（棚装置）は、使用者の個別の要求に適応できなければならない。例えば、棚の高さ、幅、奥行き、数は、ラックの各用途に左右される。既に組立て済みのラックが、容易に拡張または転換できることも望ましい。
ラックの荷重支承能力は、ラックに使用される構成部材、特に垂直および水平に延在する棒部材（柱、支持材、横材）の断面により決定される。比較的重荷重用のラックは、相応に安定的な構成部材を必要とする。他方、軽量用のラックに、過度に頑丈な構成部材を使用すると、不必要に重い、材料費を食う不細工な構造になる。
このため、種々の安定的なラックを構成する目的を達成するために、必要数の異なる構成部材を得ることが必要になり、そのことが、相応に在庫に影響する。
【発明の開示】
【発明が解決しようとする課題】
【０００２】
本発明の目的は、できるだけ少数の異なる構成部材で組立て可能なラックシステムを提供することである。
【課題を解決するための手段】
【０００３】
この目的は、請求項１に記載の発明により達成された。請求項１により得られるラック棒部材は、Ｕ字形棒材で形成され、該Ｕ字形棒材は、また単個で、好ましくはラックの壁側縦材として使用できる。これにより、複数の異なるラック構成部材を形成できる基本部材が得られる。２つのＵ字形棒材で形成される構成部材は、それらの断面により、高レベルの固有剛性が特徴であり、安定的なフレーム構造物を構成できる。
【０００４】
請求項３から請求項６までに記載された本発明の別の構成は、強度と実際使用の面に利点を有する。請求項３の構成は、特に荷重支承強度を有し、組立てが容易である。
請求項７および８は、本発明による棒部材を結合する上での、可能な好ましい構成に関係している。
請求項９から請求項１１までに記載された特徴は、個人用の比較的軽量のラックに好都合なものである。
【０００５】
[発明の実施形態]
以下、図面に示された本発明の好適例についてさらに説明する。
図１に示されたラックは、２つの後壁側縦材１０と、自立する２つの前部支柱１１と、水平横材１２とで構成されたフレームを有する。各壁側縦材１０は、側面ラックスタンド１４を形成するために、突張り１３によって組合せ関係にある支柱１１に結合されている。
壁側縦材１０は、スロット１５を有し、該スロット１５内へは、ブラケット１６，１７が、棚板１８，１９を支持するために嵌め込まれる。棚板１８の幾つかは、ラックスタンド１４の奥行に相当する奥行を有しており、この場合、前部支柱１１に棚板１８の前部角隅部が結合されている。あるいはまた、図１の中間棚板１９で示されるように、棚板は、もっと小さな奥行を有してもよく、この場合には、その奥行きに相当する短いブラケット１７によって全体が支持される。
【０００６】
壁側縦材１０はＵ字形棒材（バー）２０で形成され、この棒材は１メートル単位で供給される材料から、それぞれ所望の長さに切断されたものである。Ｕ字形棒材は、例えば、厚さ１〜２ｍｍの鋼板を折曲げて製造され、中央ウエブ（図２の符号２５）の幅は、例えば２０〜４０ｍｍ、好ましくは３０ｍｍであり、側面脚部（図２の符号２４）の突出高さは、例えば２０〜２３ｍｍ、好ましくは２３．５ｍｍである。側面脚部の突出高さに対するウエブ幅の比は０．５〜１である。
Ｕ字形棒材２０の中央ウエブ２５に押抜きされたスロットは、例えば５０ｍｍ間隔で配置される。該スロットは、中央ウエブ２５の長手方向中心線と整合して延在し、それぞれが例えば３０ｍｍの長さを有する。２つのスロット１５の各中間には、例えば４００ｍｍの相互間隔を置いて、皿頭ねじを受容するために、円形穴２１が、形材の外側から皿穴または凹所として形成されている。
【０００７】
後部の壁側縦材１０は、例えば建物の壁にラックを固定するために用いられる。図１の例では、横材１２が同様のＵ字形棒材２０で形成されている。
さらに、図１に示されるラックの前部支柱１１も、２つのＵ字形棒材２０で形成されている。図例の場合、支柱１１は箱型横断面を有し、この断面は、脚部２４を互いに向かい合わせにして、２つのＵ字形棒材２０を互いに結合することによって形成されている。
図２に示すように、２つのＵ字形棒材２０は、箱型横断面内に配置されたスリーブ２２の形式のスペーサを介して結合され、該スリーブは、その長さの大部分に亘って円筒形または角柱形であり、両端部に拡大した端部フランジ２３を有する。スリーブの全長は、Ｕ字形棒材脚部２４の内側突出高さの２倍に等しい。端部フランジ２３の直径は、Ｕ字形棒材の中央ウエブ２５の内側幅よりも若干小さい。図２の例では、Ｕ字形棒材２０の中央ウエブ２５にある穴２１を貫通してスリーブ２２の中心ねじ穴２７に係合する２つの皿頭ねじ２６によって結合がなされている。
【０００８】
別の例（図示せず）では、スリーブの貫通穴を円滑なものとし、これにボルトを貫通させ、ボルト頭を一方のＵ字形棒材２０の穴２１に係合させ、ボルトの自由端にナットを固定して他方のＵ字形棒材２０を締めつけたものにしてもよい。
さらに、別の例（図示せず）として、スリーブをプラスチック製にして、これに滑らかな貫通穴を設け、該貫通穴に自己タッピンねじを係合させてもよい。
図１および図２に示した箱形横断面の代わりに、２つのＵ字形棒材２０をＩ形棒材として組立ててもよく、その場合、２つのＵ字形棒材の中央ウエブ２５を単純に背中合わせにして互いにねじ止めされる。
図３に示すように、ラックスタンド１４の２つの垂直棒部材（後部の壁側縦材１０と前部支柱１１）を結合している突張り１３は、偏平であるか、または、その剛性を高めるために長手方向に沿って折曲され、また各端部にフック（鉤止片）３０が設けられた棒材を含み、前記フックは、縦材１０または支柱１１の対応スロット１５に係止させるために下側が開いている。
【０００９】
この係止を確実にするために、固定部材３１が使用され、各固定部材は上側が開いたフック３２を有し、該フックにより、固定部材が下側から縦材１０または支柱１１のスロット１５内に嵌め込まれる。嵌め込み後図３に示されるように、突張り１３の端部領域に固定部材３１が、ねじ止めされる。
図４〜図９に、図１に示す各位置で各ラック部材を結合するために使用されるガセット板状結合部材が示されている。
図４に対で示したガセット板４０は、長方形の金属薄板を含み、該金属薄板の各々は、長手方向の縁に沿って２度曲げされている。そのように形成された、金属薄板の平面と平行なフランジ４２に、２つのフック４１が形成されている。
これらのガセット板４０は、例えばラックスタンド１４を閉じる側壁（図示せず）の取付けに使用される。
【００１０】
２度曲げされたガセット板４１の外表面は、縦材１０と、支柱１１を形成するＵ字形棒材２０との外側側脚２４の平面内に位置せしめられる。同時に、該２度曲げされたガセット板４０は、Ｕ字形棒材２０の中央ウエブ２５に関連位置に固定される。
図５に示したガセット板５０は、長方形というより実質的に３角形である点を除けば、図４のガセット板に似ている。
図６に示したガセット板６０は、図４のガセット板に似て長方形であるが、各々が一方の縁部に沿って１度曲げがなされており、この結果、２つのフック６１を有するフランジ６２が得られる。フック６１も、またＵ字形棒材２０の２つのスロット１５に嵌め込まれる。ガセット板６０の形状は、Ｕ字形棒材の中央ウエブ２５の平面と平行に延在する平面内に結合部材またはカ棒部材を取付ける意図のものである。
【００１１】
図７のガセット板７０は、図６のガセット板に似ているが、長方形というよりも、むしろ実質的には３角形である。
図８に示した実質的に３角形のガセット板８０は、平らな金属薄板で形成され、かつ図１に示すように、例えば横材１２を壁側縦材１０に結合するために使用される。
図９に示した、同様に実質的に３角形のガセット板９０は、一方の縁部に、この場合もＵ字形棒材２０の２つのスロット１５にはめ込むための２つのフック９１を有し、実質的に図４のガセット板４０と同じ目的を有する。しかし、２度曲げ部分は有しておらず、互いに結合されるラック部材の整合が別の装置によって達せられるような結合箇所に適している。
全てのガセット板４０〜９０は、複数の穴を有し、該穴によって、水平、垂直、対角各方向での２つのねじ結合部を設けることができる。対角方向での結合は、特に、自由直立ラックの場合に便利な対角補剛突張りを固定するのに適している。
【図面の簡単な説明】
【００１２】
【図１】本発明により組立てられたラックの全体図である。
【図２】２つのＵ字形棒材を結合することで、箱型横断面を形成する構成部材を示す図である。
【図３】２つのラック柱材を結合して、ラックスタンドを形成する場合の一構成を示す図である。
【図４】水平および垂直の種々のラック部材間に使用される結合部材を示す図である。
【図５】水平および垂直の種々のラック部材間に使用される結合部材を示す図である。
【図６】水平および垂直の種々のラック部材間に使用される結合部材を示す図である。
【図７】水平および垂直の種々のラック部材間に使用される結合部材を示す図である。
【図８】水平および垂直の種々のラック部材間に使用される結合部材を示す図である。
【図９】水平および垂直の種々のラック部材間に使用される結合部材を示す図である。
【符号の説明】
【００１３】
１０  後部の壁側縦材
１１  前部に自由直立支柱
１２  横材
１３  突張り
１４  ラックスタンド
１５  スロット
１６，１７  ブラケット
１８，１９  棚板
２０  Ｕ字形棒材
２２  スリーブ
２３  フランジ
２４  側面脚部
２５  中央ウエブ
４０，５０，６０，７０，８０，９０  ガセット板
４１，６１，９１  フック
４２，６２  フランジ
【国際公開パンフレット】
2004522535.tif 000003
2004522535.tif 000004
2004522535.tif 000005
2004522535.tif 000006
2004522535.tif 000007
2004522535.tif 000008
2004522535.tif 000009
2004522535.tif 000010
2004522535.tif 000011
2004522535.tif 000012
2004522535.tif 000013
【手続補正書】
【提出日】平成15年8月22日(2003.8.22)
【手続補正１】
【補正対象書類名】特許請求の範囲
【補正対象項目名】全文
【補正方法】変更
【補正の内容】
【特許請求の範囲】
【請求項１】
垂直および／または水平に延在する棒部材（１０〜１２）と、前記棒部材の間に取付け可能な、物品を載せる部材（１６〜１９）とを含み、前記該棒部材の少なくとも１つが互いに結合された２つのＵ字形棒材（２０）を含む、形式のラックシステムにおいて、
前記棒部材（１１）が、２つの等しいＵ字形棒材（２０）で形成されていることを特徴とするラックシステム。
【請求項２】
前記Ｕ字形棒材（２０）の各々が、ラックの壁側縦材（１０）として形成されている請求項１に記載されたラックシステム。
【請求項３】
前記２つのＵ字形棒材（２０）が箱形横断面を形成するように結合されている請求項１または請求項２に記載されたラックシステム。
【請求項４】
前記Ｕ字形棒材（２０）が、少なくとも１つのねじによって結合され、該ねじがＵ字形棒材（２０）を貫通し、かつ箱形横断面内部に配置されたスペーサ（２２）に貫通せしめられている請求項３に記載されたラックシステム。
【請求項５】
前記スペーサが、端部フランジ（２３）を有するスリーブ（２２）として形成されている請求項４に記載されたラックシステム。
【請求項６】
前記２つのＵ字形棒材（２０）が相互結合されてＩ形材を成している請求項１または請求項２に記載されたラックシステム。
【請求項７】
前記Ｕ字形棒材（２０）を別のラック部材に結合するためのガセット板状結合部材（４０〜９０）を有する請求項１から請求項６までのいずれか１項に記載されたラックシステム。
【請求項８】
結合部材（４０〜７０，９０）が、Ｕ字形棒材（２０）の穴（１５）に嵌め込むためのフック（４１〜７１，９１）を一方の縁部に有する請求項７に記載されたラックシステム。
【請求項９】
前記Ｕ字形棒材（２０）が金属製である請求項１から請求項８までのいずれか１項に記載されたラックシステム。
【請求項１０】
前記Ｕ字形棒材（２０）の横断面が、中央ウエブ（２５）の幅に対する脚部（２４）の高さの比０．５〜１を有する請求項１から請求項９までのいずれか１項に記載されたラックシステム。
【請求項１１】
前記側脚（２４）の高さが２０〜３０ｍｍであり、前記中央ウエブ（２５）の幅が２０〜４０ｍｍである、請求項１から請求項１０までのいずれか１項に記載されたラックシステム。
【手続補正２】
【補正対象書類名】図面
【補正対象項目名】図１
【補正方法】変更
【補正の内容】
【図１】
2004522535.tif 000014
【国際調査報告】
2004522535.tif 000015
2004522535.tif 000016
2004522535.tif 000017
2004522535.tif 000018